(57)【要約】      （修正有）【課題】デジタル放送によって伝送される緊急地震速報を受信することが可能なデジタル放送受信装置またはデジタル放送受信方法において、緊急地震速報を優先して画像表示、音声出力する。【解決手段】緊急地震速報が放送されたときは、デジタル放送信号と緊急地震情報信号とを合成し、緊急地震情報信号の比率が高くなるように制御して、切替部１２８、１２９により、通常のテレビ放送の放送映像信号や放送音声信号から緊急地震速報の映像信号や音声信号に切替える。これにより、緊急地震速報を最優先または最上位で画像表示、音声出力するデジタル放送受信装置を提供することができる効果がある。【選択図】図１
2011216927.tif 000002
【特許請求の範囲】
【請求項１】
放送映像信号あるいは放送音声信号を含むデジタル放送信号と、緊急地震情報を伝送するためのＡＣ信号とを有する伝送信号を受信するデジタル放送受信装置であって、
前記伝送信号を受信する受信部と、
前記受信部で受信された伝送信号から前記デジタル放送信号を復調し、出力する第1の復調部と、
前記受信部で受信された伝送信号から前記ＡＣ信号を復調する第２の復調部と、
前記第２の復調部で復調されたＡＣ信号を受信し、緊急地震情報の内容を検出し、緊急地震情報信号を出力する緊急地震情報受信部と、
前記第１の復調部から出力される前記デジタル放送信号と、前記緊急地震情報受信部から出力される前記緊急地震情報信号とを合成する合成部と、
前記緊急地震情報受信部で検出された緊急地震情報の内容が、緊急地震速報が発報されたことを示している場合に、前記合成部が前記デジタル放送信号の比率より前記緊急地震情報信号の比率が高くなるように合成させる制御部と、
を備えることを特徴とするデジタル放送受信装置。
【請求項２】
前記合成部は、
前記デジタル放送信号を(１−α)倍(０＜α＜１)にする第1の調整部と、
前記緊急地震情報信号をα倍にする第２の調整部と、
前記第1の調整部の出力と前記第２の調整部の出力を加算する加算部とで構成され、
前記制御部は、前記緊急地震情報受信部で検出された緊急地震情報の内容が、緊急地震速報が発報されたことを示している場合に、前記αを0.5より大きくすることを特徴とする請求項１に記載のデジタル放送受信装置。
【請求項３】
放送映像信号あるいは放送音声信号を含むデジタル放送信号と、緊急地震情報を伝送するためのＡＣ信号とを有する伝送信号を受信するデジタル放送受信方法であって、
前記伝送信号を受信する受信ステップと、
前記受信ステップで受信された伝送信号から前記デジタル放送信号を復調し、出力する第１の復調ステップと、
前記受信ステップで受信された伝送信号から前記ＡＣ信号を復調する第２の復調ステップと、
前記第２の復調ステップで復調されたＡＣ信号を受信し、緊急地震情報の内容を検出し、緊急地震情報信号を出力する緊急地震情報受信ステップと、
前記緊急地震情報受信ステップで検出された緊急地震情報の内容が、緊急地震速報が発報されたことを示している場合に、前記第１の復調ステップから出力される前記デジタル放送信号と、前記緊急地震情報受信ステップから出力される前記緊急地震情報信号とを、前記デジタル放送信号の比率より前記緊急地震情報信号の比率が高くなるように合成する合成ステップと、
を有することを特徴とするデジタル放送受信方法。
【請求項４】
前記合成ステップは、
前記デジタル放送信号を(１−α)倍(０＜α＜１)にする第1の調整ステップと、
前記緊急地震情報信号をα倍にする第２の調整ステップと、
前記第1の調整ステップの出力と前記第２の調整ステップの出力を加算する加算ステップとを有し、
前記緊急地震情報受信部で検出された緊急地震情報の内容が、緊急地震速報が発報されたことを示している場合に、前記αが0.5より大きくなることを特徴とする請求項３に記載のデジタル放送受信方法。
【発明の詳細な説明】
【技術分野】
【０００１】
本発明は、デジタル放送によって伝送される緊急地震速報を受信することが可能であって、特に、緊急地震速報を最優先で画像表示、音声出力することが可能なデジタル放送受信装置およびデジタル放送受信方法に関する。
【背景技術】
【０００２】
日本における地上デジタル放送方式はＩＳＤＢ−Ｔ（Integrated Service Digital Broadcasting −Terrestrial）方式として運用されている。このＩＳＤＢ−Ｔ方式では、複数のＭＰＥＧ−２トランスポートストリーム（MPEG-2 Transport Stream、以下、ＴＳとする）を再多重により一つのＴＳとし、伝送路符号化処理を施した後、ＩＦＦＴ（Inverse Fast Fourier Transform）により複数のサブキャリアからなるＯＦＤＭ（Orthogonal Frequency Division Multiplexing）送信信号に一括して変換し、放送波として送信する。
【０００３】
ここで、ＩＳＤＢ−Ｔ方式におけるＯＦＤＭ送信信号は、伝送帯域幅６ＭＨｚを１４等分したＯＦＤＭセグメントを１３個連結した構成となっており、ＯＦＤＭセグメントを単位として最大３階層までの階層伝送が可能となっている。また、ＯＦＤＭ送信信号の１３セグメントの内、中央のセグメント（セグメント番号＃０）は、携帯電話などの移動受信機での受信を想定した部分受信階層として設定できる。なお、ＯＦＤＭ送信信号の１３セグメント全てを受信可能な受信機を１３セグメント受信機、ＯＦＤＭ送信信号の中央の１セグメントを受信可能な受信機をワンセグメント受信機と呼ぶ。
【０００４】
ＩＳＤＢ−Ｔ方式におけるＯＦＤＭ送信信号は、システム識別、伝送パラメータ切替指標、緊急警報放送用起動フラグ、各階層の伝送パラメータなど、受信機の復調動作を円滑に行なうための制御情報を伝送するＴＭＣＣ（Transmission and Multiplexing Configuration Control）信号と、変調波の伝送制御に関する付加情報を伝送するための拡張用信号であるＡＣ（Auxiliary Channel）信号が付加されたフレーム構成となっている。このフレーム構成において、ＯＦＤＭサブキャリアとして付加されるＴＭＣＣ信号とＡＣ信号のキャリア位置及びキャリア本数は、伝送パラメータによって異なる。
【０００５】
ここで、ＴＭＣＣによって伝送される緊急警報放送用起動フラグにより起動される緊急警報放送（ＥＷＳ：Emergency Warning System）とは、地震発生による津波警報などが発令された場合に、視聴者に緊急情報をより早く知らせるために利用されているものである。ＩＳＤＢ−Ｔ方式において緊急警報放送を運用する場合、放送局がＴＭＣＣ信号に含まれる緊急警報放送用起動フラグを「１」として、緊急警報放送と認識できるコンテンツで放送を実施する。受信機は緊急警報放送用起動フラグを監視して、緊急警報放送用起動フラグが「１」となれば、強制的なサービスの切り替えや、待機状態から通常の通電状態への移行により、視聴者に素早く緊急警報放送を提供することを可能としている。（特許文献１を参照）
更に高度化された緊急情報を伝送するシステムとして、気象庁が発表する緊急地震速報（ＥＥＷ：Earthquake Early Warning）がある。緊急地震速報とは、地震の発生直後に、震源に近い地震計でとらえた初期微動（いわゆるＰ波）と主要動（いわゆるＳ波）を解析して震源や地震の規模を直ちに推定し、これに基づいて各地での主要動の震度を推定し、可能な限り素早く知らせる情報である。また、緊急地震速報では、強い揺れが到着する前に知らせることで、視聴者に対して周囲の状況に応じて慌てずに身の安全を確保することを目的としている。この緊急地震速報をＩＳＤＢ−Ｔ方式で伝送する場合の方法について、セグメント番号＃０に含まれるＡＣ信号を用いて緊急地震速報を伝送するシステムが検討されている。このＩＳＤＢ−Ｔ方式における緊急地震速報システムを使用した一例として、ワンセグメント受信機により緊急地震速報を受信して警報を発する自動警告機能付き目覚まし時計が公開されている。（非特許文献１を参照）
【先行技術文献】
【特許文献】
【０００６】
【特許文献１】特開２００５−３３３５１２号公報
【非特許文献】
【０００７】
【非特許文献１】「緊急放送による受信端末の自動起動」平成２０年度技研公開  展示資料  ＮＨＫ放送技術研究所編  平成２０年５月２０日発行
【発明の概要】
【発明が解決しようとする課題】
【０００８】
上記非特許文献１では、緊急地震速報が放送されたときにデジタル放送受信機が自動的に起動することの必要性が開示されている。
【０００９】
また、上記特許文献１では、緊急警報放送を監視しているいわゆるスタンバイ状態での低消費電力化について開示されている。
【００１０】
しかしながら、いずれの文献にも、緊急地震速報を出力する場合の画像表示や音声出力の受信機動作については開示されていない。
【００１１】
本発明はこのような状況に鑑みてなされたものであり、その目的は、デジタル放送によって伝送される緊急地震速報を受信することが可能なデジタル放送受信装置またはデジタル放送受信方法において、、緊急地震速報を優先して画像表示、音声出力することにある。
【課題を解決するための手段】
【００１２】
上記目的を達成するために、本発明は、放送映像信号あるいは放送音声信号を含むデジタル放送信号と、緊急地震情報を伝送するためのＡＣ信号とを有する伝送信号を受信するデジタル放送受信装置であって、前記伝送信号を受信する受信部と、前記受信部で受信された伝送信号から前記デジタル放送信号を復調し、出力する第1の復調部と、前記受信部で受信された伝送信号から前記ＡＣ信号を復調する第２の復調部と、前記第２の復調部で復調されたＡＣ信号を受信し、緊急地震情報の内容を検出し、緊急地震情報信号を出力する緊急地震情報受信部と、前記第１の復調部から出力される前記デジタル放送信号と、前記緊急地震情報受信部から出力される前記緊急地震情報信号とを合成する合成部と、前記緊急地震情報受信部で検出された緊急地震情報の内容が、緊急地震速報が発報されたことを示している場合に、前記合成部が前記デジタル放送信号の比率より前記緊急地震情報信号の比率が高くなるように合成させる制御部と、を備える。
【００１３】
また、別の本発明は、放送映像信号あるいは放送音声信号を含むデジタル放送信号と、緊急地震情報を伝送するためのＡＣ信号とを有する伝送信号を受信するデジタル放送受信方法であって、前記伝送信号を受信する受信ステップと、前記受信ステップで受信された伝送信号から前記デジタル放送信号を復調し、出力する第１の復調ステップと、前記受信ステップで受信された伝送信号から前記ＡＣ信号を復調する第２の復調ステップと、前記第２の復調ステップで復調されたＡＣ信号を受信し、緊急地震情報の内容を検出し、緊急地震情報信号を出力する緊急地震情報受信ステップと、前記緊急地震情報受信ステップで検出された緊急地震情報の内容が、緊急地震速報が発報されたことを示している場合に、前記第１の復調ステップから出力される前記デジタル放送信号と、前記緊急地震情報受信ステップから出力される前記緊急地震情報信号とを、前記デジタル放送信号の比率より前記緊急地震情報信号の比率が高くなるように合成する合成ステップと、を有する。
【発明の効果】
【００１４】
本発明によれば、デジタル放送によって伝送される緊急地震速報を受信することが可能なデジタル放送受信装置またはデジタル放送受信方法において、緊急地震速報が放送されたときに、緊急地震速報を優先して画像表示、音声出力することができる。
【図面の簡単な説明】
【００１５】
【図１】本発明の第１の実施形態に係る緊急地震速報を受信することが可能なデジタル放送受信装置の構成を示すブロック図である。
【図２】本発明の主要ブロックである緊急地震情報受信部１２０で受信する緊急地震情報の構成を示す説明図である。
【図３】本発明の主要ブロックである緊急地震情報受信部１２０で受信する緊急地震情報の構成を示す説明図である。
【図４】本発明の主要ブロックである緊急地震情報受信部１２０で受信する緊急地震情報の構成を示す説明図である。
【図５】本発明の主要ブロックである緊急地震情報受信部１２０で受信する緊急地震情報の構成を示す説明図である。
【図６】本発明の主要ブロックである緊急地震情報受信部１２０で受信する緊急地震情報の構成を示す説明図である。
【図７】本発明の主要ブロックである緊急地震情報受信部１２０で受信する緊急地震情報の構成を示す説明図である。
【図８】本発明の主要ブロックである緊急地震情報受信部１２０で受信する緊急地震情報の構成を示す説明図である。
【図９】本発明の主要ブロックである緊急地震情報受信部１２０で受信する緊急地震情報の構成を示す説明図である。
【図１０】本発明の第１の実施形態の主要ブロックである出力部１１７の一実施例を示すブロック図である。
【図１１】本発明の第２の実施形態に係る緊急地震速報を受信することが可能なデジタル放送受信装置の構成を示すブロック図である。
【図１２】本発明の第２の実施形態の主要ブロックである合成部１１０１、１１０２の一実施例を示すブロック図である。
【図１３】本発明の第３の実施形態の主要ブロックであるデコード部１０８、出力部１１７の一実施例を示すブロック図である。
【発明を実施するための形態】
【００１６】
以下、本発明を実施するための形態について図面を参照して詳述する。なお、図面において、同一符号は、同一または相当部分を示す。
【実施例１】
【００１７】
本発明に係る実施例１について、図１を用いて説明する。
【００１８】
図１は、日本の地上デジタルテレビジョン放送方式であるＩＳＤＢ−Ｔ方式において、セグメント番号＃０に含まれるＡＣ信号を用いて伝送された緊急地震情報を受信するデジタル放送受信装置の構成を示すブロック図である。
【００１９】
１０１はアンテナ、１０２は選局部、１０３は直交復調部、１０４は高速フーリエ変換(以下、ＦＦＴ)部、１０５はＦＦＴ部１０４からＴＳ出力までのＩＳＤＢ−Ｔ方式の復調・復号動作を行う復調復号部、１０６はデスクランブル部、１０７はデマックス部、１０８は圧縮された放送映像信号、圧縮された放送音声信号のデコード部、１２８、１２９は切替部、１０９は切替部１２８を介してデコードされた放送映像信号の表示を行う映像表示部、１１０は切替部１２９を介してデコードされた放送音声信号の出力を行う音声出力部であり、これらが放送映像信号、放送音声信号を再生する主要ブロックである。また、１１１は同期再生部、１１２はフレーム抽出部、１１３はＴＭＣＣ復号部であり、復調復号部１０５の動作を行うための同期信号再生や、伝送パラメータなどの情報入手を行う。選局部１０２から映像表示部１０９及び音声出力部１１０までで構成されるブロックで放送受信部１１９が構成される。
【００２０】
一方、１１４はフラグ検出部、１１５はデータ抽出部、１１６は判別部、１１７は緊急地震速報の出力部であり、これらで緊急地震情報受信部１２０が構成される。
【００２１】
切替部１２８、１２９は、それぞれデコード部１０８と出力部１１７の映像信号、音声信号の切替えを行なう。
【００２２】
１１８は制御部であり、放送受信部１１９や緊急地震情報受信部１２０の動作制御や電力制御を行う。
【００２３】
制御部１１８、放送受信部１１９、緊急地震情報受信部１２０でデジタル放送受信装置１２１が構成される。
【００２４】
以下、詳細に動作を説明する。アンテナ１０１で受信されたＩＳＤＢ−Ｔ放送から選局部１０２で受信すべきチャネル周波数帯域が抽出され、直交復調部１０３でベースバンド信号とされ、ＦＦＴ部１０４で周波数軸処理がなされる。これを受け、復調復号部１０５では周波数軸上の各キャリアに対して復調処理が行われ、周波数軸及び時間軸のデインターリーブ、ビタビ復号やＲＳ(リード・ソロモン)復号などの誤り訂正が施されてＩＳＤＢ−Ｔ信号が復調され、トランスポートストリーム(以下、ＴＳと略す)信号がデスクランブル部１０６に出力される。デスクランブル部１０６では著作権保護のためにスクランブルのかけられているＴＳ信号のスクランブルが解除されデマックス部１０７に出力される。デマックス部１０７では希望の圧縮された放送映像信号及び圧縮された放送音声信号のデジタル信号が抽出されデコード部１０８に出力される。デコード部１０８では圧縮された放送映像信号や圧縮された放送音声信号が復号され、復号された放送映像信号は切替部１２８を介して映像表示部１０９に、復号された放送音声信号は切替部１２９を介して音声出力部１１０に出力される。
【００２５】
一方、同期再生部１１１では直交復調部１０３からのベースバンド信号を受け、シンボル同期信号が再生されるとともにＦＦＴ部１０４の出力信号からＴＭＣＣ信号の周波数位置が検出される。フレーム抽出部１１２では検出された周波数位置のＴＭＣＣ信号が復調されるとともにフレーム同期信号が再生される。フレーム同期信号は同期再生部１１１に出力され、シンボル同期信号との位相調整が行われる。ＴＭＣＣ復号部１１３では復調されたＴＭＣＣ信号に差集合巡回符号の誤り訂正が施され、階層構造、伝送パラメータなどＴＭＣＣ情報が得られる。このＴＭＣＣ情報は復調復号部１０５に出力され、復調復号処理のための情報として利用される。
【００２６】
次に本発明の主要部分である制御部１１８、緊急地震情報受信部１２０の動作を説明する。制御部１１８は、制御信号１２２、１２４、１２５、１２６を用い、それぞれフラグ検出部１１４、データ抽出部１１５、判別部１１６、出力部１１７の動作状態を管理する。動作状態とは、正常に動作している状態(通常)、動作していないがすぐに通常状態に移行可能な状態(スタンバイ)、動作していない状態(停止)を表す。制御部１１８は、消費電力低減のために、通常状態では普通に動作させるための電力を全箇所に供給するように、停止状態では電力供給をしないように、スタンバイ状態では電力供給量を制限したり、または、電力供給箇所を制限したりするように制御する。また、制御部１１８は、故障回避のためなどに、通常状態では普通に稼働している状態になるように、停止状態では稼働部が固定位置に格納されている状態になるように、スタンバイ状態では固定を解除して稼働位置で待機している状態になるように制御する。
【００２７】
図２から図９を用い、緊急地震情報受信部１２０で受信する緊急地震情報の構成を説明する。
【００２８】
緊急地震情報の伝送はセグメントNo. 0のＡＣキャリアを用いる。ＡＣキャリアは非放送用の付加情報を伝送するための伝送路であるが、付加情報以外に緊急地震情報も伝送できるようにする。
【００２９】
図２はＡＣ信号の204ビットB0〜B203のビット割当てを示したものである。B0の1ビットは差動復調の基準とする。B1〜B3の3ビットは構成識別とし、付加情報であるか、緊急地震情報であるか区別する。B4〜B203の200ビットによって、付加情報または緊急地震情報を送出する。なお、緊急地震情報を送出する際は、セグメントNo. 0内の全てのＡＣキャリアで同一の緊急地震情報を送出する。
【００３０】
図３は差動復調の基準を示したものである。ＡＣキャリアの変調方式はＤＢＰＳＫとし、差動復調の振幅及び位相基準は図３のWiで与えられる。これは現在のＩＳＤＢ−Ｔ放送の標準規格と同じである。
【００３１】
図４は緊急地震情報をセグメントNo. 0のＡＣ信号で伝送する場合のビット割当てを示したものである。
【００３２】
構成識別を000,010,011,100,101,111とした場合は、ＡＣは従来通り、放送事業者向けの利用とし、付加情報を送出する。
【００３３】
構成識別を001,110とした場合は、緊急地震情報を送出する。
【００３４】
緊急地震情報の伝送を表す‘001’と‘110’は、ＴＭＣＣの同期信号の先頭３ビット（B1〜B3）と同一の符号とし、ＴＭＣＣ信号と同一のタイミングでフレームごとに交互に送出する。
【００３５】
B4〜B16の13ビットは同期信号とする。緊急地震情報の場合、構成識別と同期信号を連結した符号は、ＴＭＣＣの同期信号と同一符号とし、16ビットのワードで構成する。同期信号はw0=0011010111101110とそれをビット反転したw1=1100101000010001の2種類とする。ＴＭＣＣ同期信号（B1〜B16）と同じビットを割当て、フレーム毎にＴＭＣＣと同じ符号を送出する。
【００３６】
B17〜B18の2ビットは緊急地震速報起動フラグとする。
【００３７】
図５は緊急地震速報起動フラグの意味を示したものである。
【００３８】
緊急地震速報が発報されたときに、受信機を自動起動し、かつ、ＡＣ信号で緊急地震速報を送出していることを示すため、緊急地震速報起動フラグとして２ビットを割り当てる。
【００３９】
ＡＣ信号は、伝送される情報が無い場合、全てのビットが‘1’で変調されるため、緊急地震速報起動制御ありの状態を‘00’とする。また、起動フラグの信頼性を向上するため、緊急地震速報起動フラグに２ビットを使用して符号間距離が最大となる反転信号とする。また、起動フラグの信頼性を確保するために‘10’、‘01’は使用しない。
【００４０】
B19〜B20の2ビットは緊急地震速報更新フラグとする。
【００４１】
図６は緊急地震速報更新フラグの意味を示したものである。
【００４２】
緊急地震速報起動制御ありの状態が継続中に緊急地震速報詳細（B21〜B121）の内容が更新された場合は、図６に示すように緊急地震速報更新フラグの値を１ずつインクリメントし、受信機に緊急地震速報詳細が更新されたことを通知する。緊急地震速報起動制御なしの場合は‘11’の値を取るものとし、緊急地震速報起動制御ありに切り替わった最初の値を‘00’とする。
【００４３】
B21〜B121の101ビットは緊急地震速報詳細とする。
【００４４】
図７は緊急地震速報詳細のビット割り当てを示す。
【００４５】
B21〜B23の３ビットは信号識別とし、緊急地震速報やその試験信号などを区別する。
【００４６】
図８は信号識別による緊急地震速報詳細の意味を示す。
【００４７】
信号識別によって緊急地震速報詳細は図８に示す意味とし、ＥＥＷ起動信号とＥＥＷ試験信号を定義する。
【００４８】
B24〜B111の88ビットは、ページ種別、現在時刻、地震詳細情報とし、B112〜B121の10ビットは、ＣＲＣ−１０とする。
【００４９】
図９に、その詳細を示す。
【００５０】
ＥＥＷ起動信号及びＥＥＷ試験信号を伝送するフレーム構造は図９のB24〜B111に示す通りとする。
【００５１】
B112〜B121の10ビットは情報の信頼性をチェックするためのＣＲＣ−１０とする。
【００５２】
緊急地震情報は重要な情報であり、高い信頼性が要求されることから、ＴＭＣＣと同様に差集合巡回符号を用いた誤り訂正符号で保護する。構成識別B1〜B3及び同期信号B4〜B16は誤り訂正の対象外とする。B17〜B121の情報は、差集合巡回符号（273,191）の短縮符号（187,105）で誤り訂正符号化する。B122〜B203の82ビットには、ＴＭＣＣの誤り訂正符号と同様に、差集合巡回符号（273,191）の短縮符号（187,105）を用い生成されたパリティビットを設定する。
【００５３】
以上、図２から図９で説明した緊急地震情報の使用方法を図４を用い簡単に説明する。
【００５４】
緊急地震情報をセグメントNo. 0のＡＣキャリアで伝送している場合は構成識別を図４に示す値に設定する。地震が起こり緊急地震速報を発報するときには、緊急地震速報起動フラグを"起動信号有り"とし、同時に緊急地震速報更新フラグ、緊急地震速報詳細、パリティビットを設定する。緊急地震速報終了時に緊急地震速報起動フラグを"起動信号なし"とする。
【００５５】
図２から図９で説明した緊急地震情報を受信する動作を図１を用い説明する。
【００５６】
図１のフレーム抽出部１１２において、セグメントNo. 0内のＡＣキャリアが抽出復調されるとともに図４で示した構成識別で緊急地震情報の送出が確認され、更に同期が確立される。このとき、セグメントNo. 0内の全てのＡＣキャリアで同一の緊急地震情報が送出されているため、セグメントNo. 0内のＡＣキャリア全てをアナログ加算することで、低雑音化でも緊急地震情報の復調が可能になる。例えばＮ本のＡＣキャリアがあったとすれば緊急地震情報の振幅がＮ倍になるのに対して雑音はそれぞれのＡＣキャリアにおいて無相関であるためＮ倍にならない(電力でいえば、緊急地震情報はＮの２乗倍に対し雑音はＮ倍にしかならない)。
【００５７】
また、フレーム抽出部１１２でのフレーム同期信号再生において、図４で示した構成識別部分を調べてＡＣに緊急地震情報が送出されていることの確認ができたときには、図４で説明したように、構成識別と同期信号を連結した符号はＴＭＣＣの同期信号と同一となっているので、構成識別と同期信号を連結した符号とＴＭＣＣの同期信号とをアナログ加算することで、上記した理由により、ＴＭＣＣだけで再生するよりも低雑音化での同期信号を再生することができる。
【００５８】
さらにまた、フレーム抽出部１１２において図４で示した構成識別部分を調べる方法として、ＴＭＣＣの同期信号の先頭から３ビット部分と、セグメントNo. 0内のＡＣキャリアの図４で示した構成識別部分の相関をとることにより、３ビット全てに相関がある場合にＡＣに緊急地震情報が送出されていると判断することが可能である。
【００５９】
緊急地震情報受信部１２０で緊急地震情報を受信しようとしているときには、選局部１０２、直交復調部１０３、ＦＦＴ部１０４、同期再生部１１１、フレーム抽出部１１２は常に動作しており、セグメントNo. 0内のＡＣキャリアが抽出復調され、その復調信号がフレーム抽出部１１２からフラグ検出部１１４とデータ抽出部１１５に出力される。選局部１０２、直交復調部１０３、ＦＦＴ部１０４、同期再生部１１１、フレーム抽出部１１２の動作は緊急地震情報を受信しようとしているときにはセグメントNo. 0、すなわちワンセグ部分のみの処理を行うのみでよい。これにより、ＩＳＤＢ−Ｔ放送の１３セグメント全帯域を処理するよりも低消費電力動作とすることができる。
【００６０】
また、緊急地震情報受信部１２０で緊急地震情報を受信しようとしているときには、制御部１１８は常に動作している。
【００６１】
フラグ検出部１１４とデータ抽出部１１５は、それぞれ制御信号１２２、１２４により通常状態で動作している。フラグ検出部１１４では、図４に示す緊急地震速報起動フラグが図５に示す意味で監視されており、初期段階、すなわち緊急地震速報が発報されていない段階では"起動信号なし"から"起動信号有り"と切替わる状態が監視されている。これと同時にデータ抽出部１１５では、図４に示す緊急地震速報起動フラグ、緊急地震速報更新フラグ、緊急地震速報詳細、パリティビットが抽出され、差集合巡回符号の短縮符号の誤り訂正が行われ、抽出した各情報が確定される。
【００６２】
判別部１１６、出力部１１７は、初期段階、すなわち緊急地震速報が発報されていない段階(緊急地震速報起動フラグが"起動信号なし")では、それぞれ制御信号１２５、１２６により停止状態にある。
【００６３】
初期段階、すなわち緊急地震速報が発報されていない段階では、復調復号部１０５、デスクランブル部１０６、デマックス部１０７、デコード部１０８、ＴＭＣＣ復号部１１３と、切替部１２８、１２９、映像表示部１０９、音声出力部１１０は動作していない状態となっている。
【００６４】
地震が起こり緊急地震速報が発報されたとき、すなわち、緊急地震速報起動フラグが"起動信号有り"となった場合には、フラグ検出部１１４では"起動信号なし"から"起動信号有り"と切替わる状態が検出され、制御信号１２３により制御部１１８とデータ抽出部１１５に"起動信号有り"、すなわち緊急地震速報が発報された情報が伝えられる。制御部１１８は制御信号１２３を受け、制御信号１２５、１２６、１３０により、それぞれ判別部１１６を通常状態に、出力部１１７をスタンバイ状態に、放送受信部１１９をスタンバイ状態にさせる信号を送る。一方、データ抽出部１１５は制御信号１２３を受け、緊急地震速報起動フラグが"起動信号有り"となった時点での抽出確定された緊急地震速報更新フラグ、緊急地震速報詳細、パリティビットのデータを判別部１１６に出力する。
【００６５】
制御信号１２５により通常状態となった判別部１１６では、データ抽出部１１５からのデータを受けＣＲＣチェックを行った後、図７に示す信号識別が確認され、図８に示すどの意味であるかが判別される。そして、それぞれの意味に応じ、あらかじめ設定された処理が行われ、必要であれば制御信号１２７とデータが出力部１１７へ送られる。
【００６６】
制御信号１２６によりスタンバイ状態となっていた出力部１１７では、判別部１１６からの制御信号１２７を受けた場合には、スタンバイ状態から通常状態となり、さらに判別部１１６からのデータを受け緊急地震速報が行われる。同時に制御信号１３０によりスタンバイ状態となっていた放送受信部１１９では、判別部１１６からの制御信号１２７を受けた場合には、スタンバイ状態から通常状態となり、また、切替部１２８、１２９は出力部１１７からの信号を選択するように制御され、出力部１１７からの映像信号、音声信号はそれぞれ映像表示部１０９、音声出力部１１０に出力され、緊急地震速報が行われる。
【００６７】
なお、上記では制御信号１３０により放送受信部１１９がスタンバイ状態に制御される例を示したが、切替部１２８、１２９、映像表示部１０９、音声出力部１１０のみをスタンバイ状態に制御するようにしてもよい。また、上記では制御信号１２７により放送受信部１１９がスタンバイ状態から通常状態に制御される例を示したが、スタンバイ状態の放送受信部１１９から切替部１２８、１２９、映像表示部１０９、音声出力部１１０のみを通常状態に制御するようにしてもよい。さらに、スタンバイ状態に制御された切替部１２８、１２９、映像表示部１０９、音声出力部１１０を通常状態に制御するだけにしてもよい。これらにより、放送受信部１１９を制御するよりも低消費電力で緊急地震速報を行なうことができる。ここで、切替部１２８、１２９、映像表示部１０９、音声出力部１１０のスタンバイ状態とは、通常状態になったときにすばやく映像表示または音声出力できるように通電しておく状態をいう。
【００６８】
判別部１１６と出力部１１７の詳細な動作を図８を用いて説明する。
【００６９】
判別部１１６が"ＥＥＷ起動  該当地域有り"を判別した場合、判別部１１６は出力部１１７に"該当地域有り"の情報を送るとともにスタンバイ状態から通常状態とする制御信号１２７を送る。出力部１１７はこれを受け、"該当地域有り"の情報を受けブザーや音声などによる警告または光の点滅やディスプレイ表示による警告表示を行うとともに、通常状態となる。同時に、判別部１１６は、図９に示す強い揺れが予想される都道府県情報や震源地情報などの地震詳細情報や時刻情報を出力部１１７に送り、出力部１１７はこれを受け、緊急地震速報の音声信号出力、映像信号出力、または地震が発生すると思われる時間までのカウントダウンを行う。同時に制御信号１３０によりスタンバイ状態となっていた放送受信部１１９では、判別部１１６からの制御信号１２７を受けた場合には、スタンバイ状態から通常状態となり、また、切替部１２８、１２９は出力部１１７からの信号を選択するように制御され、出力部１１７からの映像信号、音声信号はそれぞれ映像表示部１０９、音声出力部１１０に出力され、緊急地震速報が行われる。
【００７０】
判別部１１６が"ＥＥＷ起動  該当地域なし"を判別した場合、出力部１１７への制御信号やデータ出力は行わない。ただし、場合によっては、"該当地域有り"と同様の動作をさせ、映像表示部１０９に強い揺れが予想される都道府県情報や震源地情報などの地震詳細情報を表示させる、または音声出力部１１０で音声出力させてもよい。
【００７１】
判別部１１６が"ＥＥＷ試験信号  該当地域有り"または"ＥＥＷ試験信号  該当地域なし"を判別した場合、これは一般的に緊急地震情報受信部１２０を試験モードで動作確認しているときに有効となるものであり、普通の動作モードでは無視され、出力部１１７への制御信号やデータ出力は行わない。試験モードのときは、例えば、ＥＥＷ起動信号の該当地域有り、または、該当地域なしのそれぞれの動作に、テストモードであることを示す映像情報または音声情報を多重する。
【００７２】
判別部１１６は信号識別の確認を緊急地震速報起動フラグが"起動信号有り"の場合常時行う必要があるが、少なくとも緊急地震速報更新フラグの状態が変化した場合には必ず信号識別の確認を行う。
【００７３】
次に、フラグ検出部１１４では"起動信号有り"から"起動信号なし"と切替わる状態が監視されており、緊急地震速報起動フラグが"起動信号なし"となった場合には、フラグ検出部１１４では"起動信号有り"から"起動信号なし"と切替わる状態が検出され、制御信号１２３により制御部１１８とデータ抽出部１１５に"起動信号なし"の情報が伝えられる。制御部１１８は制御信号１２３を受け、制御信号１２５、１２６により、それぞれ判別部１１６、出力部１１７を停止状態とさせる信号を送る。判別部１１６、出力部１１７はこれを受け、停止状態となる。同時に制御部１１８は制御信号１３０を放送受信部１１９に送り、放送受信部１１９はこれを受け、一定時間のみ放送受信部１１９を通常状態に保ち、また、切替部１２８、１２９をデコード部１０８側に切替え、そのとき選局部１０２で受信しているＩＳＤＢ−Ｔ放送のデコード部１０８からの復号された放送映像信号を映像表示部１０９に、復号された放送音声信号を音声出力部１１０に出力し、一定時間経過後、放送受信部１１９を停止状態とする。一方、データ抽出部１１５は制御信号１２３を受け、判別部１１６へのデータ出力を停止する。
【００７４】
ここで、放送受信部１１９の停止状態とは、選局部１０２、直交復調部１０３、ＦＦＴ部１０４、同期再生部１１１、フレーム抽出部１１２がワンセグ動作しており、復調復号部１０５、デスクランブル部１０６、デマックス部１０７、デコード部１０８、ＴＭＣＣ復号部１１３と、切替部１２８、１２９、映像表示部１０９、音声出力部１１０が動作していない状態をいう。
【００７５】
放送受信部１１９のスタンバイ状態とは、選局部１０２、直交復調部１０３、ＦＦＴ部１０４、同期再生部１１１、フレーム抽出部１１２が１３セグメント全帯域動作しており、復調復号部１０５、デスクランブル部１０６、デマックス部１０７、デコード部１０８、ＴＭＣＣ復号部１１３が動作しており、切替部１２８、１２９、映像表示部１０９、音声出力部１１０が動作していない状態をいう。
【００７６】
放送受信部１１９の通常状態とは、選局部１０２、直交復調部１０３、ＦＦＴ部１０４、同期再生部１１１、フレーム抽出部１１２が１３セグメント全帯域動作しており、復調復号部１０５、デスクランブル部１０６、デマックス部１０７、デコード部１０８、ＴＭＣＣ復号部１１３が動作しており、切替部１２８、１２９、映像表示部１０９、音声出力部１１０が動作している状態をいう。
【００７７】
以上の説明は、デジタル放送受信装置１２１が動作していない状態のときを前提に説明したが、デジタル放送受信装置１２１が動作している状態、すなわち、放送受信部１１９がもともと通常状態であったときには、以下の動作とする。
【００７８】
緊急地震速報起動フラグが"起動信号有り"となった場合には、フラグ検出部１１４では"起動信号なし"から"起動信号有り"と切替わる状態が検出され、制御信号１２３により制御部１１８とデータ抽出部１１５に"起動信号有り"、すなわち緊急地震速報が発報された情報が伝えられる。制御部１１８は制御信号１２３を受け、制御信号１２５、１２６により、それぞれ判別部１１６を通常状態に、出力部１１７をスタンバイ状態にさせる信号を送る。同時に制御部１１８は制御信号１３０を放送受信部１１９に送り、放送受信部１１９はこれを受け、切替部１２８、１２９それぞれに対して、デコード部１０８からの復号された放送映像信号から出力部１１７からの映像信号へ、デコード部１０８からの復号された放送音声信号から出力部１１７からの音声信号へ、切替える準備を行う。一方、データ抽出部１１５は制御信号１２３を受け、緊急地震速報起動フラグが"起動信号有り"となった時点での抽出確定された緊急地震速報更新フラグ、緊急地震速報詳細、パリティビットのデータを判別部１１６に出力する。
【００７９】
制御信号１２５により通常状態となった判別部１１６では、データ抽出部１１５からのデータを受けＣＲＣチェックを行った後、図７に示す信号識別が確認され、図８に示すどの意味であるかが判別される。そして、それぞれの意味に応じ、あらかじめ設定された処理が行われ、必要であれば制御信号１２７とデータが出力部１１７へ送られる。
【００８０】
制御信号１２６によりスタンバイ状態となっていた出力部１１７では、判別部１１６からの制御信号１２７を受けた場合には、スタンバイ状態から通常状態となり、さらに判別部１１６からのデータを受け緊急地震速報が行われる。同時に放送受信部１１９では、判別部１１６からの制御信号１２７を受けた場合には、切替部１２８、１２９それぞれに対して、デコード部１０８からの復号された放送映像信号から出力部１１７からの映像信号へ、デコード部１０８からの復号された放送音声信号から出力部１１７からの音声信号への切り替えが行われる。そして、出力部１１７からの映像信号、音声信号により、それぞれ映像表示部１０９、音声出力部１１０で緊急地震速報が行われる。
【００８１】
フラグ検出部１１４では"起動信号有り"から"起動信号なし"と切替わる状態が監視されており、緊急地震速報起動フラグが"起動信号なし"となった場合には、フラグ検出部１１４では"起動信号有り"から"起動信号なし"と切替わる状態が検出され、制御信号１２３により制御部１１８とデータ抽出部１１５に"起動信号なし"の情報が伝えられる。制御部１１８は制御信号１２３を受け、制御信号１２５、１２６により、それぞれ判別部１１６、出力部１１７を停止状態とさせる信号を送る。判別部１１６、出力部１１７はこれを受け、停止状態となる。同時に制御部１１８は制御信号１３０を放送受信部１１９に送り、放送受信部１１９はこれを受け、切替部１２８、１２９それぞれに対して、出力部１１７からの映像信号からデコード部１０８からの復号された放送映像信号へ、出力部１１７からの音声信号からデコード部１０８からの復号された放送音声信号へ、切り替えが行われる。一方、データ抽出部１１５は制御信号１２３を受け、判別部１１６へのデータ出力を停止する。
【００８２】
本実施形態によれば、緊急地震速報が放送されたときは、切替部１２８、１２９により、通常のテレビ放送の放送映像信号や放送音声信号から緊急地震速報の映像信号や音声信号に切替えるため、緊急地震速報を最優先で画像表示、音声出力することができる。また、映像表示部と音声出力部をそれぞれ１系統持つだけで良いため、簡単な構成で低価格とすることができる。さらに、デジタル放送受信装置１２１が動作していない状態のときは放送受信部１１９を自動起動でき、デジタル放送受信装置１２１が動作していた状態のときは緊急地震速報に速やかに切替えが行える。
【００８３】
また、緊急地震速報起動フラグが"起動信号有り"となるだけで出力部１１７を停止状態から通常状態にするのではなく、さらに信号識別が"ＥＥＷ起動  該当地域有り"のときに通常状態とするので、"ＥＥＷ起動  該当地域なし"の場合や、"起動信号有り"から"ＥＥＷ起動  該当地域有り"が判別されるまでの間は低消費電力とすることができ、且つ、緊急地震速報起動フラグが"起動信号有り"で停止状態からスタンバイ状態とすることで、信号識別が"ＥＥＷ起動  該当地域有り"のときに高速に通常状態とし、速やかに緊急地震速報を出力することができる。
【００８４】
以下、本発明の主要ブロックである出力部１１７の一実施例を図１０を用いて説明する。
【００８５】
１００１は判別部１１６からのデータの入力部、１００２は判別部１１６からの制御信号１２７の入力部、１００３は制御部１１８からの制御信号１２６の入力部、１００４は時計部、１００５は現時刻設定部、１００６はデータ記憶部、１００７は比較判断部、１００８はブザー発生部、１００９は処理部、１０１０は映像信号出力部、１０１１は音声信号出力部である。
【００８６】
時計部１００４は出力部１１７が停止状態でも常時動作しており、正確な時刻を示している。正確な時刻とする方法としてＧＰＳ(Global Positioning System)の利用、標準電波を受信して誤差を自動修正する電波時計機能の利用、インターネットなど外部から正確な時刻を自動更新する機能の利用が考えられ、これらに限るものではないが、ＩＳＤＢ−Ｔ放送から時刻情報を得ることは後に述べる理由により好ましくない。
【００８７】
現時刻設定部１００５、データ記憶部１００６、比較判断部１００７、ブザー発生部１００８、処理部１００９は、出力部１１７が"スタンバイ状態"と"通電状態"のときに動作し"停止状態"のときは動作しない。
【００８８】
出力部１１７が制御部１１８からの制御信号１２６を入力部１００３を介して受けスタンバイ状態となったときに、現時刻設定部１００５は時計部１００４から現在時刻を常時抽出し設定する。判別部１１６が"ＥＥＷ起動  該当地域有り"を判別した場合、判別部１１６は出力部１１７の入力部１００１を介し"該当地域有り"の情報を送るとともに、図９に示す強い揺れが予想される都道府県情報や震源地情報などの地震詳細情報や時刻情報を出力部１１７に送る。出力部１１７ではこれを受けると同時にデータ記憶部１００６に記憶し、時刻情報は記憶されると同時に比較判断部１００７で現時刻設定部１００５の現在時刻と比較される。送られてきたデータ記憶部１００６内の時刻情報は放送局側が送信したときの放送局の現在時刻情報であり、定められた精度をもっている。これに放送局側の処理遅延、放送電波が受信機までに届く伝搬遅延、これを受信するデジタル放送受信装置１２１の処理遅延と、時計部１００４の精度を加味した時間、最大でもこれらを全て加算した時間の正負(進み遅れ)以上には、データ記憶部１００６内の時刻情報と現時刻設定部１００５の現在時刻はずれることがないため、これをスレッシュホールド値として、比較判断部１００７は、スレッシュホールド値内である場合には、"正常"と判断し、スレッシュホールド値を超える場合には、"異常"と判断する。比較判断部１００７は"該当地域有り"且つ"正常"と判断したときにブザー発生部１００８を制御しブザーを発生させる。これにより、過去に緊急地震速報が発報されたときの放送波を蓄積しておき(以下、ＲＦキャプチャと示す)これを再送信されたような攻撃を受けた場合においても、ＲＦキャプチャした信号はＲＦキャプチャした時点の時刻情報を持っているため、現時刻設定部１００５の現在時刻とはスレッシュホールド値を超える状態となり比較判断部１００７では"異常"と判断されブザーを発生しない動作をとり、ブザー発生部１００８でブザーを発生させるという誤作動を防ぐことができる。なお、ブザー発生部１００８の代わりに音声などによる警告発生または光の点滅による警告表示でもよい。
【００８９】
処理部１００９は、データ記憶部１００６に時刻情報、都道府県情報や震源地情報などの地震詳細情報が記憶されると同時に、映像信号出力部１０１０からの出力準備、音声信号出力部１０１１からの出力準備を行う。例えば、図１０では図示していないが、あらかじめ記憶してあるデジタル放送受信装置の設置場所と地震詳細情報から地震到達までの時間を計算しておくことなどを行う。
【００９０】
映像信号出力部１０１０、音声信号出力部１０１１からは"通常状態"のときにのみ出力信号が出力される。
【００９１】
判別部１１６が"ＥＥＷ起動  該当地域有り"を判別した場合、判別部１１６は出力部１１７の入力部１００１を介し"該当地域有り"の情報、図９に示す強い揺れが予想される都道府県情報や震源地情報などの地震詳細情報や時刻情報を出力部１１７に送るとともに、入力部１００２を介しスタンバイ状態から通常状態とする制御信号１２７を送る。出力部１１７では制御信号１２７を受け通常状態となる。
【００９２】
通常状態となり、映像信号出力部１０１０、音声信号出力部１０１１は、処理部１００９からの信号を受け、それぞれ緊急地震速報の映像信号出力、音声信号出力を行う。出力する内容は、図９に示す強い揺れが予想される都道府県情報や震源地情報などの地震詳細情報や時刻情報、または、地震が発生すると思われる時間までのカウントダウン情報などである。
【００９３】
出力部１１７は、制御部１１８からの停止状態の制御信号１２６を入力部１００３を介して受け、停止状態となる。すなわち、時計部１００４を除き、全てのブロックが動作を停止する。
【００９４】
図１０の実施例によれば、時刻情報と現在時刻の比較を行うことにより、警告発生の誤作動を防ぐことができる。
【００９５】
さらに、ブザー発生をスタンバイ状態で行っているためブザーにより地震発生をいち早く知らせることができるとともに、映像信号出力と音声信号出力を通常状態でのみの動作としているため消費電力を低減できる。
【実施例２】
【００９６】
本発明に係る実施例２について、図１１および図１２を用いて説明する。
【００９７】
図１１は、日本の地上デジタルテレビジョン放送方式であるＩＳＤＢ−Ｔ方式において、セグメント番号＃０に含まれるＡＣ信号を用いて伝送された緊急地震情報を受信するデジタル放送受信装置の構成を示すブロック図である。
【００９８】
１１０１、１１０２は合成部であり、図１２にその詳細を示している。
【００９９】
図１と図１１との違いは、切替部１２８、１２９をそれぞれ合成部１１０１、１１０２にしたことである。
【０１００】
以下、図１２を用いて合成部１１０１、１１０２の説明を行なう。図１２ではデコード部１０８も詳細に示している。
【０１０１】
１２０１はデマックス部１０７から出力された希望の圧縮された放送映像信号及び圧縮された放送音声信号の入力部、１２０２は圧縮された放送映像信号と圧縮された放送音声信号とを振り分けるフィルタ部、１２０３は圧縮された放送映像信号を動画、静止画、文字図形、字幕それぞれに対して復号処理を行なう映像系デコード部、１２０４は圧縮された放送音声信号に対して復号処理を行なう音声系デコード部、１２０５は動画表示をするための動画プレーン部、１２０６は静止画表示をするための静止画プレーン部、１２０７は動画と静止画を画素ごとに切替えるための情報を示した動画静止画切替プレーン部、１２０８は文字図形を表示するための文字図形プレーン部、１２０９は字幕を表示するための字幕プレーン部、１２１０は動画静止画切替プレーン部１２０７の情報により動画プレーン部１２０５からの動画と静止画プレーン部１２０６からの静止画の切替えを画素ごとに行なう切替部、１２１１は切替部１２１０の出力信号の合成比率を調整する調整部、１２１２は文字図形プレーン部１２０８の出力信号の合成比率を調整する調整部、１２１３は調整部１２１１、１２１２の出力信号を合成する加算部、１２１４は加算部１２１３の出力信号の合成比率を調整する調整部、１２１５は字幕プレーン部１２０９の出力信号の合成比率を調整する調整部、１２１６は調整部１２１４、１２１５の出力信号を合成する加算部であり、以上でデコード部１０８を構成する。加算部１２１６からは放送映像信号が、音声系デコード部１２０４からは放送音声信号が出力される。
【０１０２】
１２１７は判別部１１６からのデータ入力部である。
【０１０３】
１２１８は加算部１２１６の出力信号である放送映像信号の合成比率を調整する調整部、１２１９は出力部１１７の出力信号である緊急地震速報の映像信号の合成比率を調整する調整部、１２２０は調整部１２１８、１２１９の出力信号を合成する加算部、１２２１は加算部１２２０の出力信号である合成映像信号の出力部であり、以上で合成部１１０１を構成する。
【０１０４】
１２２２は音声系デコード部１２０４の出力信号である放送音声信号の合成比率を調整する調整部、１２２３は出力部１１７の出力信号である緊急地震速報の音声信号の合成比率を調整する調整部、１２２４は調整部１２２２、１２２３の出力信号を合成する加算部、１２２５は加算部１２２４の出力信号である合成音声信号の出力部であり、以上で合成部１１０２を構成する。
【０１０５】
デコード部１０８の放送映像信号の合成方法を説明する。
【０１０６】
切替部１２１０では、動画静止画切替プレーン部１２０７の情報により、動画プレーン部１２０５からの動画と静止画プレーン部１２０６からの静止画を画素ごとに切替える。切替部１２１０の出力信号は調整部１２１１で合成比率を"１−α１"倍に調整される。一方、文字図形プレーン部１２０８からの出力信号である文字図形は調整部１２１２で合成比率を"α１"倍に調整される。ここで、α１は不透明度を表し、０から１までの値をとる。加算部１２１３では調整部１２１１、１２１２の出力信号を合成する。α１が０の場合は切替部１２１０の出力信号のみとなり、α１が１の場合は文字図形プレーン部１２０８からの出力信号である文字図形のみとなる。
【０１０７】
加算部１２１３の出力信号は調整部１２１４で合成比率を"１−α２"倍に調整される。一方、字幕プレーン部１２０９からの出力信号である字幕は調整部１２１５で合成比率を"α２"倍に調整される。ここで、α２は不透明度を表し、０から１までの値をとる。加算部１２１６では調整部１２１４、１２１５の出力信号を合成する。α２が０の場合は加算部１２１３の出力信号のみとなり、α２が１の場合は字幕プレーン部１２０９からの出力信号である字幕のみとなる。
【０１０８】
以上のように、字幕、文字図形、静止画、動画は合成され、加算部１２１６から放送映像信号が出力される。
【０１０９】
合成部１１０１では、加算部１２１６からの放送映像信号が調整部１２１８で合成比率"１−α３"倍に調整される。一方、出力部１１７からの出力信号である緊急地震速報の映像信号が調整部１２１９で合成比率"α３"倍に調整される。そして、調整部１２１８、１２１９の出力信号が加算部１２２０で合成され、加算部１２２０の出力信号が合成映像信号として出力部１２２１に出力される。ここで、α３は不透明度を表し、０から１までの値をとる。α３が０の場合は出力部１２２１から出力される合成映像信号は加算部１２１８からの放送映像信号のみとなる。α３が１の場合は出力部１２２１から出力される合成映像信号は出力部１１７からの出力信号である緊急地震速報の映像信号のみとなる。
【０１１０】
合成部１１０２では、音声系デコード部１２０４からの放送音声信号が調整部１２２２で合成比率"１−α４"倍に調整される。一方、出力部１１７からの出力信号である緊急地震速報の音声信号が調整部１２２３で合成比率"α４"倍に調整される。そして、調整部１２２２、１２２３の出力信号が加算部１２２４で合成され、加算部１２２４の出力信号が合成音声信号として出力部１２２５に出力される。ここで、α４は合成率を表し、０から１までの値をとる。α４が０の場合は出力部１２２５から出力される合成音声信号は音声系デコード部１２０４からの放送音声信号のみとなる。α４が１の場合は出力部１２２５から出力される合成音声信号は出力部１１７からの出力信号である緊急地震速報の音声信号のみとなる。
【０１１１】
本実施例ではα３、α４を0.5より大きい値とすることで、緊急地震速報の映像信号や音声信号を、それぞれ、放送映像信号や放送音声信号よりも目立つようにすることができる。
【実施例３】
【０１１２】
本発明に係る実施例３について、図１３を用いて説明する。
【０１１３】
図１３では、図１２の合成部１１０１を省略し、デコード部１０８の字幕プレーン部１２０９に直接緊急地震速報の映像信号を書き込む。字幕プレーン部１２０９は映像系デコード部１２０３からのデコードされた字幕を出力部１１７からの緊急地震速報の映像信号を更新する。または、字幕プレーン部１２０９は出力部１１７からの緊急地震速報の映像信号が書き込まれた場所には映像系デコード部１２０３からのデコードされた字幕を書き込まない。また、α２を0.5より大きい値とする。
【０１１４】
さらに、字幕プレーン部１２０９に字幕が表示されていた場合、その表示部分を避けて緊急地震速報の映像信号を表示することもできる。なお、字幕だけではなく、データ放送などで放送事業者が映像表示を強調または必須としている表示部分を避けて緊急地震速報の映像信号を表示することもできる。さらに、受信機が自ら重要な映像表示をしている場合は、その表示部分を避けて緊急地震速報の映像信号を表示することもできる。
【０１１５】
以上により、映像系の合成部を増やすことなく緊急地震速報の映像信号を放送映像信号よりも目立つように合成することができる
【符号の説明】
【０１１６】
１０１…アンテナ
１０２…選局部
１０３…直交復調部
１０４…高速フーリエ変換(ＦＦＴ)部
１０５…復調復号部
１０６…デスクランブル部
１０７…デマックス部
１０８…デコード部
１０９…映像表示部
１１０…音声出力部
１１１…同期再生部
１１２…フレーム抽出部
１１３…ＴＭＣＣ復号部
１１４…フラグ検出部
１１５…データ抽出部
１１６…判別部
１１７…出力部
１１８…制御部
１１９…放送受信部
１２０…緊急地震情報受信部
１２１…デジタル放送受信装置
１２８、１２９…切替部
１００１、１００２、１００３…入力部
１００４…時計部
１００５…現時刻設定部
１００６…データ記憶部
１００７…比較判断部
１００８…ブザー発生部
１００９…処理部
１０１０…映像信号出力部
１０１１…音声信号出力部
１１０１、１１０２…合成部
１２０１…入力部
１２０２…フィルタ部
１２０３…映像系デコード部
１２０４…音声系デコード部
１２０５…動画プレーン部
１２０６…静止画プレーン部
１２０７…動画静止画切替プレーン部
１２０８…文字図形プレーン部
１２０９…字幕を表示するための字幕プレーン部
１２１０…切替部
１２１１、１２１２、１２１４、１２１５…調整部
１２１３、１２１６…加算部
１２１７…データ入力部
１２１８、１２１９…調整部
１２２０…加算部
１２２１…出力部
１２２２、１２２３…調整部
１２２４…加算部
１２２５…出力部
【図１】
2011216927.tif 000003
【図２】
2011216927.tif 000004
【図３】
2011216927.tif 000005
【図４】
2011216927.tif 000006
【図５】
2011216927.tif 000007
【図６】
2011216927.tif 000008
【図７】
2011216927.tif 000009
【図８】
2011216927.tif 000010
【図９】
2011216927.tif 000011
【図１０】
2011216927.tif 000012
【図１１】
2011216927.tif 000013
【図１２】
2011216927.tif 000014
【図１３】
2011216927.tif 000015